【手続補正書】
【提出日】平成18年2月10日(2006.2.10)
【手続補正１】
【補正対象書類名】特許請求の範囲
【補正対象項目名】全文
【補正方法】変更
【補正の内容】
【特許請求の範囲】
【請求項１】
１種以上の材料（１１０）と実質的に空気を含まない環境中で超臨界流体になる溶媒（１１２）とを収容するための高圧高温カプセル（１００，２００，３００，４００，５００，６００）であって、当該カプセル（１００，２００，３００，４００，５００，６００）が
ａ）閉鎖端（１０６，２０６，４０６，５０６，６０６）と、
ｂ）閉鎖端（１０６，２０６，４０６，５０６，６０６）に接してそれから延在する１以上の壁体（１０２，２０２，４０２，５０２，６０２）と、
ｃ）閉鎖端（１０６，２０６，４０６，５０６，６０６）の反対側で１以上の壁体（１０２，２０２，４０２，５０２，６０２）に接する封鎖端（１０４，２０４，４０４，５０４，６０４）と
を備え、１以上の壁体（１０２，２０２，４０２，５０２，６０２）、閉鎖端（１０６，２０６，４０６，５０６，６０６）及び封鎖端（１０４，２０４，４０４，５０４，６０４）が１種以上の材料（１１０）と溶媒（１１２）を収容するための内室（１０８，３０８，４０８）を内部に画成し、当該カプセル（１００，２００，３００，４００，５００，６００）が変形可能な材料で形成されており、当該カプセル（１００，２００，３００，４００，５００，６００）が流体不透過性であると共に、１種以上の材料（１１０）及び超臨界流体に対して化学的に不活性である、カプセル（１００，２００，３００，４００，５００，６００）。
【請求項２】
当該カプセル（１００，２００，３００，４００，５００，６００）が冷間圧接可能な材料で形成されている、請求項１記載のカプセル（１００，２００，３００，４００，５００，６００）。
【請求項３】
さらに、当該カプセル（５００）の内面に設けられた１以上の皮膜（５２０）を備える、請求項１記載のカプセル（５００）。
【請求項４】
さらに、１以上の壁体（２０２）、閉鎖端（２０６）及び封鎖端（２０４）の内面に設けられた不活性ライナー（２２０）を備える、請求項１記載のカプセル（２００）。
【請求項５】
１種以上の材料（１１０）と実質的に空気を含まない環境中で超臨界流体になる溶媒（１１２）とを収容するための高圧高温カプセル（１００，２００，３００，４００，５００，６００）を密封するためのプラグ（４２０）であって、カプセル（１００，２００，３００，４００，５００，６００）が、１種以上の材料（１１０）と溶媒（１１２）を収容するための内室（１０８，３０８，４０８）を内部に画成する１以上の壁体（１０２，２０２，４０２，５０２，６０２）と閉鎖端（１０６，２０６，４０６，５０６，６０６）と封鎖端（１０４，２０４，４０４，５０４，６０４）とを備え、当該プラグ（４２０）が冷間圧接可能な材料からなると共に、カプセル（１００，２００，３００，４００，５００，６００）の開放端に密封状態で挿入可能であり、封鎖端（１０４，２０４，４０４，５０４，６０４）が、当該プラグ（４２０）を開放端に挿入して当該プラグ（４２０）をカプセル（１００，２００，３００，４００，５００，６００）に冷間圧接することで形成されている、プラグ（４２０）。
【請求項６】
１種以上の材料（１１０）と実質的に空気を含まない環境中で超臨界流体になる溶媒（１１２）とを収容するための高圧高温カプセル（１００，２００，３００，４００，５００，６００）であって、当該カプセル（１００，２００，３００，４００，５００，６００）が
ａ）閉鎖端（１０６，２０６，４０６，５０６，６０６）と、
ｂ）閉鎖端（１０６，２０６，４０６，５０６，６０６）に接してそれから延在する１以上の壁体（１０２，２０２，４０２，５０２，６０２）と、
ｃ）閉鎖端（１０６，２０６，４０６，５０６，６０６）の反対側で１以上の壁体（１０２，２０２，４０２，５０２，６０２）に接する封鎖端（１０４，２０４，４０４，５０４，６０４）で、１以上の壁体（１０２，２０２，４０２，５０２，６０２）に冷間圧接されたプラグ（４２０）を含む封鎖端（１０４，２０４，４０４，５０４，６０４）と
を備え、１以上の壁体（１０２，２０２，４０２，５０２，６０２）、閉鎖端（１０６，２０６，４０６，５０６，６０６）及び封鎖端（１０４，２０４，４０４，５０４，６０４）が１種以上の材料（１１０）と溶媒（１１２）を収容するための内室（１０８，３０８，４０８）を内部に画成し、当該カプセル（１００，２００，３００，４００，５００，６００）が変形可能な冷間圧接性材料で形成されており、当該カプセル（１００，２００，３００，４００，５００，６００）が流体不透過性であると共に、１種以上の材料（１１０）及び超臨界流体に対して化学的に不活性である、カプセル（１００，２００，３００，４００，５００，６００）。
【請求項７】
高圧高温カプセル（１００，２００，３００，４００，５００，６００）に１種以上の材料（１１０）と実質的に空気を含まない環境中で超臨界流体になる溶媒（１１２）とを充填する方法であって、上記カプセル（１００，２００，３００，４００，５００，６００）が１種以上の材料（１１０）と超臨界流体を収容するための内室（１０８，３０８，４０８）を内部に画成する１以上の壁体（１０２，２０２，４０２，５０２，６０２）と閉鎖端（１０６，２０６，４０６，５０６，６０６）と封鎖可能な開放端とを備え、当該方法が、
ａ）カプセル（１００，２００，３００，４００，５００，６００）を用意する段階、
ｂ）１種以上の材料（１１０）を内室（１０８，３０８，４０８）に供給する段階、
ｃ）溶媒（１１２）を含み、真空マニホルドに連結可能な溶媒供給源を用意する段階、
ｄ）溶媒供給源を真空マニホルドに連結する段階、
ｅ）１種以上の材料（１１０）を内室（１０８，３０８，４０８）に挿入する段階、
ｆ）カプセル（１００，２００，３００，４００，５００，６００）の内室（１０８，３０８，４０８）を真空マニホルドと流通する状態に置いて内室（１０８，３０８，４０８）を所定圧力に排気する段階、
ｇ）内室（１０８，３０８，４０８）を所定温度未満の温度に冷却する段階、
ｈ）内室及び溶媒供給源を真空マニホルドを介して互いに流通する状態に置く段階、並びに
ｉ）溶媒（１１２）の一部を内室（１０８，３０８，４０８）に供給することで、開放端をもったカプセル（１００，２００，３００，４００，５００，６００）を所定レベルまで充填する段階
を含んでなる方法。
【請求項８】
１種以上の材料（１１０）と実質的に空気を含まない環境中において高温及び高圧で超臨界流体になる溶媒（１１２）とを収容する高圧高温カプセル（１００，２００，３００，４００，５００，６００）を密封する方法であって、上記カプセル（１００，２００，３００，４００，５００，６００）が１種以上の材料（１１０）と溶媒（１１２）を収容するための内室（１０８，３０８，４０８）を内部に画成する１以上の壁体（１０２，２０２，４０２，５０２，６０２）と閉鎖端（１０６，２０６，４０６，５０６，６０６）と封鎖可能な開放端とを備え、当該方法が、
ａ）１種以上の材料（１１０）を含むカプセル（１００，２００，３００，４００，５００，６００）を用意する段階、
ｂ）カプセル（１００，２００，３００，４００，５００，６００）の内室（１０８，３０８，４０８）を真空マニホルドと流通する状態に置いて内室（１０８，３０８，４０８）を所定圧力に排気する段階、
ｃ）内室（１０８，３０８，４０８）に所定量の溶媒（１１２）を充填する段階、及び
ｄ）カプセル（１００，２００，３００，４００，５００，６００）の封鎖可能な開放端を封鎖する段階
を含んでなる方法。
【請求項９】
高圧高温カプセル（１００，２００，３００，４００，５００，６００）を冷間圧接可能なプラグ（４２０）で密封して、カプセル（１００，２００，３００，４００，５００，６００）の内部に実質的に空気を含まない内室（１０８，３０８，４０８）を形成するための装置（７００）であって、装置（７００）が
ａ）冷間圧接可能なプラグ（４２０）をカプセル（１００，２００，３００，４００，５００，６００）の封鎖可能な開放端に挿入するための可動ラム（７２０）、
ｂ）カプセル（１００，２００，３００，４００，５００，６００）を支持すると共にラム（７２０）を案内するための機械的支持体（７０４）であって、ラム（７２０）と共に気密内室（７０８）を形成する機械的支持体（７０４）、並びに
ｃ）機械的支持体（７０４）を貫通して気密内室（７０８）に達する真空入口（７０６）であって、気密内室（７０８）と真空マニホルドとの間の流通を可能にする真空入口（７０６）
を備え、冷間圧接可能なプラグ（４２０）を封鎖可能な開放端に挿入してラム（７２０）に圧力を加えた場合に冷間圧接可能なプラグ（４２０）がカプセル（１００，２００，３００，４００，５００，６００）の１以上の壁体（１０２，２０２，４０２，５０２，６０２）に冷間圧接される、装置（７００）。
【請求項１０】
１種以上の窒化ガリウム原料と高温及び高圧で超臨界流体になる溶媒（１１２）とを収容するための内室（１０８，３０８，４０８）を内部に画成する１以上の壁体（１０２，２０２，４０２，５０２，６０２）と閉鎖端（１０６，２０６，４０６，５０６，６０６）と封鎖可能な開放端とを備える高圧高温カプセル（１００，２００，３００，４００，５００，６００）に１種以上の窒化ガリウム原料を供給し、カプセル（１００，２００，３００，４００，５００，６００）の内室（１０８，３０８，４０８）を真空マニホルドと流通状態に置いて内室（１０８，３０８，４０８）を所定圧力に排気し、内室（１０８，３０８，４０８）に所定量の溶媒（１１２）を充填し、カプセル（１００，２００，３００，４００，５００，６００）の封鎖可能な開放端を封鎖し、カプセル（１００，２００，３００，４００，５００，６００）を囲繞してカプセル（１００，２００，３００，４００，５００，６００）上に外圧を維持するための圧力伝達媒体、カプセル（１００，２００，３００，４００，５００，６００）を囲繞するように圧力伝達媒体中に挿入し得る発熱体、カプセル（１００，２００，３００，４００，５００，６００）と圧力伝達媒体と発熱体を所定の位置に収容保持するための拘束体、並びに拘束体と圧力伝達媒体との間に１以上のシールを備える圧力容器内に密封カプセル（１００，２００，３００，４００，５００，６００）を配置し、カプセル（１００，２００，３００，４００，５００，６００）を高圧高温条件に暴露することで、密封カプセル（１００，２００，３００，４００，５００，６００）内に収容された溶媒（１１２）が超臨界流体になって密封カプセル（１００，２００，３００，４００，５００，６００）内に所定圧力を生み出し、超臨界流体が１種以上の窒化ガリウム原料と反応して窒化ガリウム単結晶を形成することによって製造される窒化ガリウム単結晶。